(57)【要約】      （修正有）【課題】ラックキャビネットと、電源供給モジュールと、データ交換機と、複数のサーバとを備えるサーバシステムを提供する。【解決手段】ラックキャビネット１０は、複数のラック単位に分割される。複数のラック単位は、互いに平行するように、垂直に配列される。電源供給モジュール１２とデータ交換機１４は、少なくとも１つのラック単位に集中的に設けられる。電源供給モジュールは、ラックキャビネットの後側に近隣する。データ交換機は、ラックキャビネットの前側に近隣する。サーバ１６のそれぞれは、他のラック単位のいずれか１つに設けられ、電源供給モジュールとデータ交換機に別々に電気的に接続される。【選択図】図２Ａ
0003173340.tif 000002
【実用新案登録請求の範囲】
【請求項１】
互いに平行するように、垂直に配列される複数のラック単位に分割されるラックキャビネットと、
少なくとも１つの前記ラック単位に集中的に設けられ、前記ラックキャビネットの後側に近隣する電源供給モジュール及び前記ラックキャビネットの前側に近隣するデータ交換機と、
それぞれが他の前記ラック単位のいずれか１つに設けられ、前記電源供給モジュールと前記データ交換機に別々に電気的に接続される複数のサーバと、
を備えるサーバシステム。
【請求項２】
前記電源供給モジュール及び前記データ交換機は、前記ラックキャビネットの中央に近隣する少なくとも１つの前記ラック単位に集中的に設けられる請求項１に記載のサーバシステム。
【請求項３】
前記ラックキャビネットに設けられ、前記電源供給モジュールと前記データ交換機をそれに抜き挿し可能に電気的に接続することに適し、外部電力を前記電源供給モジュールと前記データ交換機に提供するための電力配分装置（Ｐｏｗｅｒ  Ｄｉｓｔｒｉｂｕｔｉｏｎ  Ｕｎｉｔ；ＰＤＵ）を更に備える請求項１に記載のサーバシステム。
【請求項４】
前記データ交換機は、電源コードによって前記電力配分装置に抜き挿し可能に接続され、前記サーバシステムは、前記データ交換機の後方に置かれ、前記ラックキャビネットに設けられ、前記電源コードが架けられるように配置される配分架を更に備える請求項３に記載のサーバシステム。
【請求項５】
前記配分架は、一端が前記ラックキャビネットの内壁に枢接され、前記データ交換機を前記ラックキャビネットの前側から取り出す場合、前記電源コードに引っ張られて回転する請求項４に記載のサーバシステム。
【請求項６】
前記電源コードを前記配分架に連結するための少なくとも1つの束線帯を更に備える請求項４に記載のサーバシステム。
【請求項７】
前記電力配分装置と前記電源供給モジュールに別々に電気的に接続される非遮断性電源システムを更に備える請求項３に記載のサーバシステム。
【請求項８】
前記ラックキャビネットの後側に設けられ、前記電源供給モジュール、前記データ交換機及び前記サーバに対して放熱を行うための複数のファンモジュールを更に備える請求項１に記載のサーバシステム。
【請求項９】
前記電源供給モジュールは、バスバーの形式で前記サーバのそれぞれに電気的に接続される請求項１に記載のサーバシステム。
【考案の詳細な説明】
【技術分野】
【０００１】
本考案は、サーバシステムに関し、特に、サーバ密度を高めることが可能なサーバシステムに関する。
【背景技術】
【０００２】
一般的に言えば、ラックマウント型サーバにおけるマザーボードは、スライドできるようにラックキャビネット内に設けられる。この概念に基づいて、サーバシステム全体を、複数の水平に置かれるサーバの引き出しが取り付けられる大型サーバ棚と見なすことができる。これらの引き出しに、サーバに接続されるマザーボードが設けられ、且つ信号を伝送するために、前記マザーボードに複数のコネクタが設けられて、マザーボードとまた他のマザーボード（又は、ピンボード）との直列接続をしやすくすることによって、サーバシステムのマルチタスク性能を増加させ、高性能計算の効能を達成させる。
【０００３】
ラック単位は、米国電子工業会（Ｅｌｅｃｔｒｏｎｉｃ  Ｉｎｄｕｓｔｒｉｅｓ  Ａｌｌｉａｎｃｅ；ＥＩＡ）によって定められた、サーバを標準化するための単位である。一般に、１ラック単位は、「１Ｕ」と呼ばれ、実際の高さが１．７５インチ（約４４．５ｍｍ）であり、幅が１９インチである。一般に、２つのラック単位は、「２Ｕ」と呼ばれ、実際の高さが１．７５インチ×２（約８９ｍｍ）であり、幅が相変わらず１９インチであり、これによって類推すればよい。これによりＮラック単位と呼ばれるサーバの内部のコンポーネントは、如何に組み合わせられても、一定の規格の限定で、この高さに収容されなければならない。
【０００４】
一般的に、サーバのラックキャビネットの中には、サーバと、サーバに必要な電源を提供するための電源供給モジュールと、サーバの各素子を電気的に接続するための信号線と、を備える。各前記マザーボードは、複数のハードディスクが置かれるハードディスクドライブキャリアを更に有する。
【考案の概要】
【考案が解決しようとする課題】
【０００５】
しかしながら、従来のラックキャビネットの設計において、データ交換機（Ｓｗｉｔｃｈ）、サーバ、電源供給モジュールは、それぞれラックキャビネットの異なるラックに取り付けられ、信号線の数と長さを節約できない。なお、空間制限と信号線の配線制限で、サーバは、空間を効果的に利用できない。サーバのラックキャビネットに収納可能なサーバの数量が制限されるし、他の機能モジュールを拡充することもできず、機能モジュールにおける機能素子の数を増加することは更に不可能である。
【課題を解決するための手段】
【０００６】
従来の技術問題を解決するために、本考案の一技術態様は、より多くのサーバを取り付けることができるように、主に、元来各サーバの後方に設けられる電力供給装置を電源供給モジュールに整合し、電源供給モジュールとデータ交換機をラックキャビネットにおける同一のラック単位の前後の位置に取り付けることによって、ラックキャビネットにおける空間を更に節約できるサーバシステムである。また、サーバシステムに使用されるケーブルの数と長さを節約するために、本考案は、更に電源供給モジュールとデータ交換機をラックキャビネットの中央位置に置き、データ交換機の電源コードを配置するように、配分架を更に設計する。これにより、本考案は、空間制限と配線管理の困難を同時に克服することができ、更に、同一のラックキャビネットの構成においてより高いサーバ密度を有することが可能となる。
【０００７】
本考案の一実施例によると、ラックキャビネットと、電源供給モジュールと、データ交換機と、複数のサーバと、を備えるサーバシステムである。ラックキャビネットは、複数のラック単位に分割される。複数のラック単位は、互いに平行するように、垂直に配列される。電源供給モジュールとデータ交換機は、少なくとも１つのラック単位に集中的に設けられる。電源供給モジュールは、ラックキャビネットの後側に近隣する。データ交換機は、ラックキャビネットの前側に近隣する。サーバのそれぞれは、他のラック単位のいずれか１つに設けられ、電源供給モジュールとデータ交換機に別々に電気的に接続される。
【０００８】
本考案の一実施例において、前記電源供給モジュール及びデータ交換機は、ラックキャビネットの中央に近隣する少なくとも１つのラック単位に集中的に設けられる。
【０００９】
本考案の一実施例において、前記サーバシステムは、ラックキャビネットに設けられ、電源供給モジュールとデータ交換機をそれに抜き挿し可能に電気的に接続することに適し、外部電力を電源供給モジュールとデータ交換機に提供するための電力配分装置（Ｐｏｗｅｒ  Ｄｉｓｔｒｉｂｕｔｉｏｎ  Ｕｎｉｔ；ＰＤＵ）を更に備える。
【００１０】
本考案の一実施例において、前記データ交換機は、電源コードによって電力配分装置に抜き挿し可能に接続される。サーバシステムは、データ交換機の後方に置かれ、ラックキャビネットに設けられ、電源コードが架けられるように配置される配分架を更に含む。
【００１１】
本考案の一実施例において、前記配分架は、一端がラックキャビネットの内壁に枢接される。データ交換機をラックキャビネットの前側から取り出す場合、配分架は、電源コードに引っ張られて回転する。
【００１２】
本考案の一実施例において、前記サーバシステムは、電源コードを配分架に連結するための少なくとも1つの束線帯を更に備える。
【００１３】
本考案の一実施例において、前記サーバシステムは、電力配分装置と電源供給モジュールに別々に電気的に接続される非遮断性電源システムを更に備える。
【００１４】
本考案の一実施例において、前記サーバシステムは、前記ラックキャビネットの後側に設けられ、電源供給モジュール、データ交換機、サーバに対して放熱を行うための複数のファンモジュールを更に備える。
【００１５】
本考案の一実施例において、前記電源供給モジュールは、バスバーの形式でサーバのそれぞれに電気的に接続される。
【図面の簡単な説明】
【００１６】
【図１Ａ】本考案の一実施例によるサーバシステムを示す正面図である。
【図１Ｂ】図１Ａに示したサーバシステムの一部を示す模式図である。
【図２Ａ】図１Ａに示したサーバシステムを示す側面図である。
【図２Ｂ】図２Ａに示したサーバシステムの一部を示す模式図である。
【図３】図１Ａに示したサーバシステムの中央付近を示す横向断面図である。
【考案を実施するための形態】
【００１７】
以下、図面で本考案の複数の実施例を開示し、明確に説明するために、実務上の詳細の多くは、下記で一斉に説明される。しかしながら、これらの実務上の詳細は、決して本考案を限定するものではないことを理解すべきである。即ち、本考案の実施例の一部において、これらの実務上の詳細は必須なものではない。なお、図面を簡略化するために、従来慣用の構造と素子は、図面で簡単に示される。
【００１８】
本考案の一技術態様は、サーバシステムである。より具体的には、より多くのサーバを取り付けることができるように、主に、元来各サーバの後方に設けられる電力供給装置を電源供給モジュールに整合し、電源供給モジュールとデータ交換機をラックキャビネットにおける同一のラック単位の前後の位置に取り付けることによって、ラックキャビネットにおける空間を更に節約できる。また、サーバシステムに使用されるケーブルの数と長さを節約するために、本考案は、更に電源供給モジュールとデータ交換機をラックキャビネットの中央位置に配列し、データ交換機の電源コードを配置するように、配分架を更に設計する。これにより、本考案は、空間制限と配線管理の困難を同時に克服することができ、更に、同一のラックキャビネットの構成においてより高いサーバ密度を有することが可能となる。
【００１９】
図１Ａ及び図１Ｂを参照する。図１Ａは、本考案の一実施例によるサーバシステム１を示す正面図である。図１Ｂは、図１Ａに示したサーバシステム１の一部を示す模式図である。
【００２０】
図１Ａ及び図１Ｂに示すように、本実施例において、本考案のサーバシステム１は、主に、ラックキャビネット１０と、電源供給モジュール１２と、データ交換機１４と、複数のサーバ１６と、を備える。以下、本実施例によるサーバシステム１に含まれる素子のそれぞれの構造配置を詳しく説明する。
【００２１】
図１Ａ及び図１Ｂに示すように、本実施例において、サーバシステム１のラックキャビネット１０は、複数のラック単位に分割される。ラックキャビネット１０におけるラック単位は、互いに平行するように、垂直に配列される。ラックキャビネット１０におけるラック単位は、位置によって大体、中央ラック単位１００ａと、上方ラック単位１００ｂと、下方ラック単位１００ｃと、に分けられていてもよい。サーバシステム１の電源供給モジュール１２とデータ交換機１４は、ラックキャビネット１０における少なくとも１つの中央ラック単位１００ａ、少なくとも１つの上方ラック単位１００ｂ、若しくは、少なくとも１つの下方ラック単位１００ｃに集中的に設けられていてもよい。サーバシステム１の電源供給モジュール１２は、ラックキャビネット１０の後側に近隣する。サーバシステム１のデータ交換機１４は、ラックキャビネット１０の前側に近隣する。サーバシステム１におけるサーバ１６のそれぞれは、他のラック単位のいずれか１つに設けられ、電源供給モジュール１２とデータ交換機１４に別々に電気的に接続される。これにより、サーバシステム１におけるサーバ１６のそれぞれは、データ交換機１４とデータを交換し、電源供給モジュール１２より統一的に電力を供給される。
【００２２】
一実施例において、サーバシステム１の電源供給モジュール１２とデータ交換機１４は、３つのラック単位を占めるように、ラックキャビネット１０に集中的に設けられていてもよいが、これに限定されない。
【００２３】
一実施例において、本考案のサーバシステム１に使用されるケーブルの総数と全長を節約するために、サーバシステム１の電源供給モジュール１２とデータ交換機１４は、ラックキャビネット１０の中央に近隣する少なくとも１つの中央ラック単位１００ａに集中的に設けられていてもよい。
【００２４】
図２Ａ及び図２Ｂを参照する。図２Ａは、図１Ａに示したサーバシステム１を示す側面図である。図２Ｂは、図２Ａに示したサーバシステム１の一部を示す模式図である。
【００２５】
図２Ａ及び図２Ｂに示すように、本実施例において、サーバシステム１は、電力配分装置（Ｐｏｗｅｒ  Ｄｉｓｔｒｉｂｕｔｉｏｎ  Ｕｎｉｔ；ＰＤＵ）１８を更に備える。サーバシステム１の電力配分装置１８は、ラックキャビネット１０に設けられ、電源供給モジュール１２とデータ交換機１４をそれに抜き挿し可能に電気的に接続することに適する。これにより、サーバシステム１の電力配分装置１８は、外部電力を電源供給モジュール１２とデータ交換機１４に提供することができる。
【００２６】
図３を参照する。図３は、図１Ａに示したサーバシステム１の中央付近を示す横向断面図である。
【００２７】
図１Ａ〜図３に示すように、本実施例において、サーバシステム１のデータ交換機１４は、電源コード１４ａによって電力配分装置１８に抜き挿し可能に接続される。サーバシステム１は、配分架２０を更に備える。サーバシステム１の配分架２０は、データ交換機１４の後方に置かれるように、ラックキャビネット１０に設けられる。サーバシステム１の配分架２０は、電源コード１４ａに凭れられるように配置される。更には、サーバシステム１の配分架２０は、一端がラックキャビネット１０の内壁に枢接される。これにより、データ交換機１４をラックキャビネット１０の前側から取り出す場合、配分架２０は、データ交換機１４に接続される電源コード１４ａに引っ張られて、対応的に回転する。つまり、サーバシステム１の配分架２０が、ラックキャビネット１０の内壁に相対して回転できるため、データ交換機１４をラックキャビネット１０の前側から取り出す場合、データ交換機１４の電源コード１４ａが、データ交換機１４と配分架２０の両者に逆方向へ引っ張られて、損なわれたり、切れたりするという問題はない。
【００２８】
一実施例において、本考案のサーバシステム１は、少なくとも1つの束線帯２０ａを更に備えていてもよい。サーバシステム１の束線帯２０ａは、データ交換機１４の電源コード１４ａを配分架２０に連結して縛りつけ、更に、ラックキャビネット１０において乱雑できちんとしていない状態にならないように整理することに用いられる。これにより、データ交換機１４をラックキャビネット１０の前側から取り出す場合、データ交換機１４の電源コード１４ａは、サーバシステム１内の重要な素子を引っ掛けて、サーバシステム１の内部に破壊をもたらすことはない。
【００２９】
一実施例において、本考案のサーバシステム１は、非遮断性電源システムを選択的に備えていてもよい。サーバシステム１の非遮断性電源システムは、電力配分装置１８と電源供給モジュール１２に別々に電気的に接続されていればよい。なお、停電しないという本考案のサーバシステム１の要求を満たすように、サーバシステム１の非遮断性電源システムは、電源供給モジュール１２の近傍に近隣するように設計されていればよいが、これに限定されない。
【００３０】
図３に示すように、本実施例において、サーバシステム１は、複数のファンモジュール２２を更に備える。サーバシステム１のファンモジュール２２は、ラックキャビネット１０の後側に設けられて、電源供給モジュール１２、データ交換機１４、サーバ１６に対して放熱を行うことに用いられる。
【００３１】
一実施例において、本考案のサーバシステム１の電源供給モジュール１２は、オートマチックパワーバランス（ａｕｔｏｍａｔｉｃ  ｐｏｗｅｒ  ｂａｌａｎｃｅ）を取得するように、バスバーの形式でサーバ１６のそれぞれに電気的に接続され、交流電気をバスバーによって電源供給モジュール１２の上方及び下方におけるサーバ１６に転送してもよい。しかしながら、本考案のサーバシステム１の電源供給モジュール１２がサーバ１６に電気的に接続される形式は、これに限定されない。
【００３２】
本考案の具体的な実施例に対する上記詳細な説明より、本考案のサーバシステムは、より多くのサーバを取り付けることができるように、主に、元来各サーバの後方に設けられる電力供給装置を電源供給モジュールに整合し、電源供給モジュールとデータ交換機をラックキャビネットにおける同一ラック単位の前後の位置に取り付けることによって、ラックキャビネットにおける空間を更に節約できることが判明した。また、サーバシステムに使用されるケーブルの数と長さを節約するために、本考案は、更に電源供給モジュールとデータ交換機をラックキャビネットの中央位置に配列し、データ交換機の電源コードを配置するように、配分架を更に設計する。これにより、本考案は、空間制限と配線管理の困難を同時に克服することができ、更に、同一のラックキャビネットの構成においてより高いサーバ密度を有することが可能となる。
【００３３】
本考案を実施例により上記のように開示したが、これは本考案を限定するものではなく、本考案の精神及び範囲から逸脱しない限り、当業者ならだれでも、多様な変動や修飾を加えることができ、従って、本考案の保護範囲は、実用新案登録請求の範囲で指定した内容を基準とする。
【符号の説明】
【００３４】
１  サーバシステム、１０  ラックキャビネット、１２  電源供給モジュール、１４  データ交換機、１４ａ  電源コード、１６  サーバ、１８  電力配分装置、２０  配分架、２０ａ  束線帯、２２  ファンモジュール、１００ａ  中央ラック単位、１００ｂ  上方ラック単位、１００ｃ  下方ラック単位
【図１Ａ】
0003173340.tif 000003
【図１Ｂ】
0003173340.tif 000004
【図２Ａ】
0003173340.tif 000005
【図２Ｂ】
0003173340.tif 000006
【図３】
0003173340.tif 000007